(57)【要約】      （修正有）【課題】構造的に転倒が防止されて作業負荷を軽減するとともに、ギャラリーの床構造を限定しない移動式渡り橋を提供する。【解決手段】舞台の袖に奥行き方向に延びるギャラリーを移動するとともに、ギャラリーから、ギャラリーの手摺を乗り越えて、舞台の間口方向に延びる照明ブリッジに移動するための移動式渡り橋Ａにおいて、ギャラリーの上側にギャラリーに沿って配置され水平方向に延びる一以上のレールＲ１，Ｒ２を走行する一以上の走行手段１Ａ，１Ｂ，１Ｃと、これら走行手段１Ａ，１Ｂ，１Ｃに吊り下げられる支持部材２と、この支持部材２に支えられる床板３と、この床板３に連結されて照明ブリッジ側に延びる架設板４と、上記床板３に連結されてギャラリーから床板３に上がるための階段５とを備える。【選択図】図２
2015073734.tif 000002
【特許請求の範囲】
【請求項１】
舞台の袖に奥行き方向に延びるギャラリーを移動するとともに、上記ギャラリーから、このギャラリーの手摺を乗り越えて、上記舞台の間口方向に延びる照明ブリッジに移動するための移動式渡り橋において、
上記ギャラリーの上側に上記ギャラリーに沿って配置され水平方向に延びる一以上のレールを走行する一以上の走行手段と、これら走行手段に吊り下げられる支持部材と、この支持部材に支えられる床板と、この床板に連結されて上記照明ブリッジ側に延びる架設板と、上記床板に連結されて上記ギャラリーから上記床板に上がるための階段とを備えることを特徴とする移動式渡り橋。
【請求項２】
上記レールは、上記照明ブリッジ側と上記ギャラリー側に二本並べて設けられており、
上記支持部材は、上記レールの一方を走行する上記走行手段に連結される一方側支持体と、上記レールの他方を走行する上記走行手段にリンク機構を介して連結される他方側支持体とを備えており、上記リンク機構は、上記走行手段と上記他方側支柱に対し進行方向に沿う軸回りに揺動可能とされていることを特徴とする請求項１に記載の移動式渡り橋。
【請求項３】
上記一方側支持体には、進行方向に並ぶ二つの上記走行手段が連結されており、上記リンク機構には、一つの上記走行手段が連結されていることを特徴とする請求項２に記載の移動式渡り橋。
【請求項４】
上記架設板は、上記床板に揺動可能に連結されて進行方向に延びる基部と、この基部の進行方向の両端から反基部側に延びる一対の延設部と、これら延設部の間に所定の隙間を開けて配置されるとともに上記基部から上記延設部に沿って延びる本体部と、一方の上記延設部に揺動可能に連結されるとともに当該延設部と上記本体部との間にできる隙間を開閉可能で上記基部側と反基部側に配置される一対の開閉板と、他方の上記延設部に揺動可能に連結されるとともに当該延設部と上記本体部との間にできる隙間を開閉可能で上記基部側と反基部側に配置される一対の開閉板とを備えていることを特徴とする請求項１から請求項３の何れか一項に記載の移動式渡り橋。
【発明の詳細な説明】
【技術分野】
【０００１】
本発明は、移動式渡り橋に関する。
【背景技術】
【０００２】
演劇やコンサートに利用される多目的ホールや、テレビ局のスタジオの中には、例えば、特許文献１，２に開示のように、出演者を照らしたり、地明かりをつくったりするための照明器具を、舞台の間口方向に延びる照明ブリッジに取り付け、この照明ブリッジをバトンで吊っているものがある。この照明ブリッジには、作業者が乗込んで照明器具の角度調節をできる作業スペースが設けられている。
【０００３】
また、舞台の袖の上部には、ギャラリーと称されて、舞台の奥行き方向に延びる作業者通行用の廊下が吊り下げられており、作業者は、照明器具の角度調節の際、このギャラリーから照明ブリッジに移動して作業する。ギャラリーには、このギャラリーを通行する作業者の安全に配慮して、手摺が設けられている。そこで、照明ブリッジの吊り下げ位置が固定されている場合には、ギャラリーと照明ブリッジとを行き来する乗り込み位置が変わらないので、この部分にあたる手摺の一部を開閉式にし、ギャラリーと照明ブリッジとの行き来を可能にすることが一般的である。
【０００４】
しかし、照明ブリッジを異なるバトンに吊り替えて、照明ブリッジの吊り下げ位置を演目等に合わせて変更する場合には、照明ブリッジの吊り下げ位置に応じて乗込み位置が変わるので、手摺の開閉部を変える必要があるものの、このようにすることは困難である。そこで、照明ブリッジの吊り替えがある場合には、作業者がギャラリーの手摺を乗り越えて照明ブリッジに移動するための渡り橋を移動式にした移動式渡り橋が利用されている。
【先行技術文献】
【特許文献】
【０００５】
【特許文献１】特開平９−２６５８０４号公報
【特許文献２】特開２００８−１４６８６４号公報
【発明の概要】
【発明が解決しようとする課題】
【０００６】
従来の移動式渡り橋は、例えば、図８に示すように、ギャラリーを走行する台車８と、この台車８に起立する複数の支柱２８と、これらの支柱２８で支えられる床板３と、この床板３に連結される架設板９と、ギャラリーから床板３に上がるための階段５とを備えており、架設板９がギャラリーの手摺ｇ１を越えて照明ブリッジ側に延びるようになっている。この架設板９は、台車８の車輪８０からはみ出した、つまり、オーバーハングした位置に設けられているので、移動式渡り橋を固定せずに作業者が架設板９に乗ると、転倒の危険がある。
【０００７】
このため、図８に示す移動式渡り橋では、ギャラリーの床ｇ２をグレーチングにして、当該グレーチングに台車８に取り付けた金具８１を引っ掛けて車輪８０の浮き上がりを防止するとともに、支柱２８に取り付けた上下二対の挟持片２９ａ，２９ｂでギャラリーの手摺ｇ１を挟み、対となる挟持片２９ａ，２９ｂの一方から他方にかけてストッパ２９ｃを挿通して支柱２８が手摺ｇ１から離れることを防止して、移動式渡り橋の転倒を防いでいる。
【０００８】
しかしながら、上記移動式渡り橋では、当該移動式渡り橋の転倒を防ぐための固定作業が必須となり、作業負荷が大きい。また、この移動式渡り橋の転倒防止は、作業者の固定作業によって実現されるが、作業者に頼らず、移動式渡り橋を転倒しない構造にすることが望まれる。さらに、上記移動式渡り橋では、ギャラリーの床ｇ２をグレーチング等、金具８１を引っ掛けられる構成にしなければならず、ギャラリーの床構造が限定される。
【０００９】
そこで、本発明の目的は、構造的に転倒が防止されて作業負荷を軽減するとともに、ギャラリーの床構造を限定しない移動式渡り橋を提供することである。
【課題を解決するための手段】
【００１０】
上記課題を解決するための手段は、舞台の袖に奥行き方向に延びるギャラリーを移動するとともに、上記ギャラリーから、このギャラリーの手摺を乗り越えて、上記舞台の間口方向に延びる照明ブリッジに移動するための移動式渡り橋において、上記ギャラリーの上側に上記ギャラリーに沿って配置され水平方向に延びる一以上のレールを走行する一以上の走行手段と、これら走行手段に吊り下げられる支持部材と、この支持部材に支えられる床板と、この床板に連結されて上記照明ブリッジ側に延びる架設板と、上記床板に連結されて上記ギャラリーから上記床板に上がるための階段とを備えることである。
【発明の効果】
【００１１】
本発明の移動式渡り橋によれば、構造的に転倒が防止されて作業負荷を軽減するとともに、ギャラリーの床構造を限定しない。
【図面の簡単な説明】
【００１２】
【図１】本発明の一実施の形態に係る移動式渡り橋の使用状態を示した図である。
【図２】本発明の一実施の形態に係る移動式渡り橋の斜視図である。
【図３】本発明の一実施の形態に係る移動式渡り橋における、照明ブリッジ側のレールを走行する走行手段部分を拡大して示した図である。
【図４】本発明の一実施の形態に係る移動式渡り橋におけるギャラリー側のレールを走行する走行手段部分を拡大して示した図である。
【図５】本発明の一実施の形態に係る移動式渡り橋の照明ブリッジ側半分を照明ブリッジ側から見た図である。
【図６】本発明の一実施の形態に係る移動式渡り橋のギャラリー側半分をギャラリー側から見た図である。
【図７】（ａ）は、本発明の一実施の形態に係る移動式渡り橋における開閉板を拡大し、上側から見た図である。（ｂ）は、（ａ）の開閉板における一方の対となる開閉板を開いた状態を示した図である。
【図８】（ａ）は、従来の移動式渡り橋の照明ブリッジ側半分を照明ブリッジ側から見た図である。（ｂ）は、従来の移動式渡り橋のギャラリー側半分をギャラリー側から見た図である。
【発明を実施するための形態】
【００１３】
以下に本発明の一実施の形態に係る移動式渡り橋について、図面を参照しながら説明する。いくつかの図面を通して付された同じ符号は、同じ部品か対応する部品を示す。
【００１４】
図１，２に示すように、本実施の形態に係る移動式渡り橋Ａは、舞台Ｓの袖に奥行き方向に延びるギャラリーＧを移動するとともに、上記ギャラリーＧから、このギャラリーＧの手摺ｇ１を乗り越えて、上記舞台Ｓの間口方向に延びる照明ブリッジＢに移動するためのものである。そして、移動式渡り橋Ａは、上記ギャラリーＧの上側に上記ギャラリーＧに沿って配置され水平方向に延びる一以上のレールＲ１，Ｒ２を走行する一以上の走行手段１Ａ，１Ｂ，１Ｃと、これら走行手段１Ａ，１Ｂ，１Ｃに吊り下げられる支持部材２と、この支持部材２に支えられる床板３と、この床板３に連結されて上記照明ブリッジ側に延びる架設板４と、上記床板３に連結されて上記ギャラリーＧから上記床板３に上がるための階段５とを備えている。
【００１５】
また、移動式渡り橋Ａは、本実施の形態において、演劇や、コンサートが催される多目的ホールに利用されている。この多目的ホールの構成は、周知であるので詳細に図示しないが、客席と、出演者が演目を披露する舞台Ｓとを備えている。客席から見える舞台Ｓの左右方向（図１中手前奥方向）の幅が舞台Ｓの間口であり、客席から見た奥行き（図１中左右）が舞台Ｓの奥行きであり、客席から見えない舞台Ｓの上手若しくは下手にあるスペースが舞台Ｓの袖である。なお、本発明に係る移動式渡り橋Ａは、多目的ホール以外に利用されるとしてもよく、例えば、テレビ局のスタジオ等に利用されるとしてもよい。
【００１６】
舞台Ｓの上側に配置される構造体には、舞台Ｓの間口方向に延びるとともに、奥行き方向に複数並んで配置されるバトン６がワイヤロープＷで略水平に吊り下げられている。バトン６は、それぞれ、上下させることができ、照明器具Ｌや、幕、書割等を保持している。また、上記構造体には、鉛直方向に延びる吊り材７が、舞台Ｓの袖に奥行き方向に複数並んで吊り下げられており、この吊り材７でギャラリーＧが支えられている。つまり、当該ギャラリーＧは、舞台Ｓの袖に奥行き方向に延びており、作業者Ｈが通行するための廊下として利用される。また、一般的に、ギャラリーＧは、舞台Ｓの床面から９〜１０ｍの高所に設けられており、ギャラリーＧには、作業者Ｈの安全に配慮して、転落防止用の柵状の手摺ｇ１が長手方向に沿って設けられている。
【００１７】
本実施の形態において、二本のバトン６を利用して照明ブリッジＢが吊り下げられており、当該照明ブリッジＢには、複数の照明器具Ｌが取り付けられている。照明ブリッジＢは、バトン６に沿って延びる、すなわち、舞台Ｓの間口方向に延びる床板ｂ１と、この床板ｂ１の長手に沿って両側に起立する柵状の手摺（図示せず）とを備えている。そして、作業者Ｈは、床板ｂ１上を通行するとともに、この床板ｂ１上で照明器具Ｌの角度調節をすることができる。また、本実施の形態の照明ブリッジＢは、図示しない異なるバトンに付け替えることができ、これにより、照明ブリッジＢの位置を舞台Ｓの手前や奥方向（図１中左右方向）に移動することができる。
【００１８】
以下、作業者ＨがギャラリーＧから照明ブリッジＢに乗り込むための移動式渡り橋Ａの各構成について、詳細に説明する。移動式渡り橋Ａは、図２に示すように、ギャラリーＧの上側を走る二本のレールＲ１，Ｒ２を走行する三つの走行手段１Ａ，１Ｂ，１Ｃと、これら走行手段１Ａ，１Ｂ，１Ｃに吊り下げられる支持部材２と、この支持部材２に支えられる床板３と、この床板３の照明ブリッジ側に揺動可能に連結される架設板４と、床板３の進行方向の一方側端部に連結される階段５とを備えて、宙吊りとなっている。本実施の形態において、二本のレールＲ１，Ｒ２の内の一方のレールＲ１が照明ブリッジ側に配置され、他方のレールＲ２がこの反対側となるギャラリー側に配置されており、これらが水平方向に延び、かつ、略平行になっている。また、三つの走行手段１Ａ，１Ｂ，１Ｃのうちの二つの走行手段１Ａ，１Ｂが照明ブリッジ側のレールＲ１を縦に並んで走行し、他の一つの走行手段１Ｃがギャラリー側のレールＲ２を走行する。また、図示しないが、本実施の形態に係る移動式渡り橋Ａは、移動式渡り橋Ａの移動を規制するストッパを備えており、移動式渡り橋Ａを任意の位置で停車させることができるようになっている。
【００１９】
照明ブリッジ側とギャラリー側のレールＲ１，Ｒ２は、共に、Ｈ鋼（Ｈ形鋼）からなり、図３，４に示すように、鉛直方向に起立する中央片ｒ１と、この中央片ｒ１の上端から図３，４中左右に張り出し中央片ｒ１に対して垂直方向に延びる一対の上側フランジ片ｒ２，ｒ３と、上記中央片ｒ１の下端から図３，４中左右に張り出し中央片ｒ１に対して垂直方向に延びる一対の下側フランジ片ｒ４，ｒ５とを備えて、断面Ｈ形となっている。
【００２０】
そして、照明ブリッジ側のレールＲ１を走行する二つの走行手段１Ａ，１Ｂは、図３に示すように、共に、レールＲ１の下側に配置される台座１０と、この台座１０の図３中左右両側から起立する一対のブラケット１１，１１と、これらブラケット１１に保持されて鉛直方向に起立する一対のピン１２，１２と、これらのピン１２に回転自在に保持されて下側フランジ片ｒ４，ｒ５の反中央片側の端面ｒ４ａ，ｒ５ａにそれぞれ当接する一対のサイド車輪１３，１３と、上記各ブラケット１１，１１の上端部に固定され中央片ｒ１に向けて水平方向に延びる一対の車軸１４，１４と、これら車軸１４，１４の外周に回転自在に保持されて下側フランジ片ｒ４，ｒ５の上面に当接する一対の車輪１５，１５とを備えている。
【００２１】
そして、移動式渡り橋Ａの走行時において、車輪１５は、水平方向に沿う軸（車軸１４）回りに回転し、サイド車輪１３は、鉛直方向に沿う軸（ピン１２）回りに回転して、レールＲ１に対する走行手段１Ａ，１Ｂの図３中左右方向の移動を規制し、脱輪を防止する。また、各台座１０には、それぞれ、下側に延びる連結片１０ａが設けられており、走行手段１Ａ，１Ｂは、それぞれ、当該連結片１０ａを介して支持部材２に連結されている。
【００２２】
他方、ギャラリー側のレールＲ２を走行する一つの走行手段１Ｃは、図４に示すように、レールＲ２の下側に配置される台座１６と、この台座１６の図４中左右両側から起立する一対のブラケット１７，１７と、これらブラケット１７，１７の上端部に固定されレールＲ２の中央片ｒ１に向けて水平方向に延びる一対の車軸１８，１８と、これら車軸１８，１８の外周に回転自在に保持されて下側フランジ片ｒ４，ｒ５の上面に当接する一対の車輪１９，１９とを備えている。
【００２３】
そして、移動式渡り橋Ａの走行時において、車輪１９は、水平方向に沿う軸（車軸１８）回りに回転する。また、走行手段１Ｃは、サイド車輪１３に相当する構成を備えておらず、レールＲ２に対する図４中左右の動きが許容されている。このため、レール長が長くレール幅を均一にできなくても、走行手段１ＣがレールＲ２に対して図４中左右に動き、走行手段１Ａ，１Ｂと走行手段１Ｃの間隔をなるべく一定に維持できる。なお、走行手段１Ｃは、サイド車輪１３に相当する構成を備えていないものの、図４中左側若しくは右側に配置される一方の車輪１９が最大限中央片ｒ１側に寄ったとしても、他方の車輪１９が下側フランジ片（ｒ４またはｒ５）から外れないようになっており、これにより脱輪が防止されている。また、台座１６には、下側に延びる連結片１６ａが設けられており、走行手段１Ｃは、当該連結片１６ａを介して支持部材２に連結される。
【００２４】
つづいて、支持部材２は、図２に示すように、照明ブリッジ側に配置される一方側支持体２０と、ギャラリー側に配置される他方側支持体２１と、この他方側支持体２１に揺動可能に連結されるリンク機構２２と、一方側支持体２０と他方側支持体２１との間に架設される複数の横材２３ａ，２３ｂ，２３ｃ，２３ｄとを備えている。これらの横材２３ａ〜２３ｄは、支持部材２の補強用、及び、作業者の落下防止用の手摺として機能する。なお、横材２３ａ〜２３ｄの本数は適宜変更することが可能であり、また、図示しないが、一方側支持体２０と他方側支持体２１との間に斜材や縦材を設けるとしてもよい。
【００２５】
一方側支持体２０は、本実施の形態において、図５に示すように、鉛直方向に延び進行方向に沿って並ぶ三本の縦支柱２４ａ，２４ｂ，２４ｃと、水平方向に延び上下方向に並ぶ三本の横材２５ａ，２５ｂ，２５ｃとを備えて構成されている。そして、両側の縦支柱２４ａ，２４ｃが移動式渡り橋Ａの進行方向の両端に配置されており、図５中左側の縦支柱２４ａの上端部が走行手段１Ａの連結片１０ａに剛接合され、図５中右側の縦支柱２４ｃの上端部が走行手段１Ｂの連結片１０ａに剛接合されている。これらの縦支柱２４ａ，２４ｃの上部の間には、上側の横材２５ａが架設されており、この横材２５ａから床板３にかけて延びる中央の縦支柱２４ｂと、図５中左側の縦支柱２４ａとで床板３を支えている。また、中央の横材２５ｂは、中央の縦支柱２４ｂと図５中右側の縦支柱２５ｃとの間に架設されるとともに、下側の横材２５ｃは、床板３と図５中右側の縦支柱２４ｃとの間に架設されており、階段５を支えている。
【００２６】
また、図５中左側の縦支柱２４ａと中央の縦支柱２４ｂとの間が、照明ブリッジＢに移動するための出入口となっており、本実施の形態においては、この出入口を遮るように、上下にチェーンＣ１，Ｃ２がかけられている。これらチェーンＣ１，Ｃ２の一端は外れるようになっているので、作業者Ｈが移動式渡り橋Ａを渡って照明ブリッジＢへ移動する際、上記チェーンＣ１，Ｃ２の一端を外して移動する。なお、上記チェーンＣ１，Ｃ２は、廃するとしてもよい。また、一方側支持体２０の構成も、適宜変更することが可能であり、例えば、縦支柱２４ａ〜２４ｃや横材２５ａ〜２５ｃの本数や位置を変更したり、斜材を設けたりしてもよい。
【００２７】
他方側支持体２１は、本実施の形態において、図６に示すように、鉛直方向に延び進行方向に沿って並ぶ三本の縦支柱２６ａ，２６ｂ，２６ｃと、水平方向に延び上下方向に並ぶ四本の横材２７ａ，２７ｂ，２７ｃ，２７ｄとを備えて構成されている。そして、両側の縦支柱２６ａ，２６ｃが移動式渡り橋Ａの進行方向の両端に配置されており、これらの縦支柱２６ａ，２６ｃの上端の間に、上側の横材２７ａが架設されている。そして、この横材２７ａから床板３にかけて延びる中央の縦支柱２６ｂと、図６中右側の縦支柱２６ａとで床板３を支えている。また、中央の横材２７ｂ，２７ｃは、床材３を支える両縦支柱２６ａ，２６ｂの間に架設されており、これらは、床板３から作業者が落下することを防止する手摺や、補強用として機能する。さらに、下側の横材２７ｄは、床板３と図６中左側の縦支柱２６ｃとの間に架設されており、階段５を支えている。なお、他方側支持体２１の構成は、適宜変更することが可能であり、例えば、縦支柱２６ａ〜２６ｃや横材２７ａ〜２７ｄの本数や位置を変更したり、斜材を設けたりしてもよい。
【００２８】
他方側支持体２１に揺動可能に連結されるリンク機構２２は、本実施の形態において、他方側支持体２１の横材２７ａの上側にこの横材２７ａに沿って水平方向に延びる横軸２２ａと、この横軸２２ａの軸方向の両端から上側に斜めに延びる一対の斜材２２ｂ，２２ｃと、これら斜材２２ｂ，２２ｃの上端部を繋ぐ連結部２２ｄとを備えて三角枠状に形成されている。さらに、リンク機構２２は、横軸２２ａの図６中右端部と横材２７ａを揺動可能に連結する連結具２２ｅと、横軸２２ａの図６中左端部と横材２７ａを揺動可能に連結する連結具２２ｆと、連結部２２ｄと走行手段１Ｃの連結片１６ａとを揺動可能に連結する連結具２２ｇとを備えており、走行手段１Ｃと他方側支持体２１に対し、進行方向に沿う軸回りに揺動可能とされている。つまり、リンク機構２２は、走行手段１Ｃと他方側支持体２１にピン接合されており、走行手段１Ｃと他方側支持体２１に対し、進行方向に沿う軸回りに揺動可能とされている。
【００２９】
つづいて、支持部材２に支えられる床板３は、本実施の形態において、図２に示すように、矩形板状に形成されており、ギャラリーＧの手摺ｇ１よりも高い位置に配置されている。そして、当該床板３には、四隅に一方側支持体２０の縦支柱２４ａ，２４ｂと他方側支持体２１の縦支柱２６ａ，２６ｂの下端が固定されるとともに、照明ブリッジ側の端部に架設板４が揺動可能に取り付けられ、進行方向の一方側端部に階段５が連結されている。
【００３０】
架設板４は、本実施の形態において、図７に示すように、床板３に揺動可能に連結されて進行方向に延びる基部４０と、この基部４０の進行方向の両端から反基部側に延びる一対の延設部４１，４２と、これら延設部４１，４２の間に所定の隙間を開けて配置されるとともに基部４０から延設部４１，４２に沿って延びる本体部４３と、延設部４１，４２の反本体部側に取り付けられる一対のブラケット４８，４９と、一方のブラケット４８にヒンジＴで揺動可能に連結されるとともに基部側と反基部側に配置される一対の開閉板４４，４５と、他方のブラケット４９にヒンジＴで揺動可能に連結されるとともに基部側と反基部側に配置される一対の開閉板４６，４７とを備えている。つまり、本実施の形態において、図７中左側の一対の開閉板４４，４５は、ブラケット４８とヒンジＴを介して延設部４１に揺動可能に連結されており、図７中右側の一対の開閉板４６，４は、ブラケット４９とヒンジＴを介して延設部４２に揺動可能に連結されている。
【００３１】
架設板４は、自由端４ａが回転中心となる基端（図示せず）よりも下がらないように設定されている。そして、架設板４の自由端４ａを照明ブリッジ側に向けて回転し、架設板４を開いたとき、本体部４３と基部４０が床板３と同じ高さになり、水平になるように設定されている。また、このように開いたとき、架設板４は、ギャラリーＧの手摺ｇ１を超えて照明ブリッジＢに向けて延びるようになっており、これにより、作業者Ｇが架設板４を通って床板３から照明ブリッジＢに渡れるようになる。反対に、架設板４の自由端４ａをギャラリー側に向けて回転し、架設板４を閉じたとき、移動式渡り橋Ａの移動時に、吊り材７に干渉しないように設定されている。また、本実施の形態において、ブラケット４８，４９の先端部には、チェーンＣ３，Ｃ４（図５）の一端を連結するための連結部４８ａ，４９ａが設けられており、チェーンＣ３，Ｃ４の他端は、一方側支持体２０の縦材２４ａ，２４ｂに連結されている。そして、チェーンＣ３，Ｃ４は、本体部４３と基部４０が同じ高さになったとき、伸び切るようになっているので、当該構成によっても架設板４の自由端４ａが回転中心となる基端よりも下がらないようになっている。
【００３２】
また、開閉板４４〜４７は、共に、自由端が回転中心となる基端よりも下がれないように設定されている。そして、図７中左側の一対の開閉板４４，４５の自由端を本体部４３から離れる方向に回転し、開閉板４４，４５を開いたとき、延設部４１と本体部４３との間に吊り材７を挿入できるように設定されるとともに、図７中右側の一対の開閉板４６，４７の自由端を本体部４３から離れる方向に回転し、開閉板４６，４７を開いたとき、延設部４２と本体部４３との間に吊り材７を挿入できるように設定されている。反対に、図７中左側の開閉板４４，４５の自由端を本体部４３に向けて回転し、開閉板４４，４５を閉じたとき、延設部４１と本体部４３との間にできる隙間が塞がれるとともに、図７中左側の開閉板４４，４５の自由端を本体部４３に向けて回転し、開閉板４４，４５を閉じたとき、延設部４１と本体部４３との間にできる隙間が塞がれる。また、このように開閉板４４〜４７を閉じたとき、開閉板４４〜４７の上面が本体部４３及び基部４０の上面と面一になるように設定されている。
【００３３】
つづいて、床板３の進行方向の一方側端部に連結される階段５は、本実施の形態において、図２，５，６に示すように、床板３の下面に連結されて斜め下側に延びる一対の側板５０，５１と、これら側板５０，５１の間に架設され段差をもって配置される複数の踏板５２と、照明ブリッジ側の側板５０を一方側支持体２０の横材２５ｃに連結する複数の支柱５５ａ，５５ｂと、上記横材２５ｃに起立する柵状の手摺５３と、ギャラリー側の側板５１を他方側支持体２１の横材２７ｃに連結する複数の支柱５６ａ，５６ｂと、上記横材２７ｃに起立する柵状の手摺５４とを備えており、支持部材２で支えられて、階段５の下端がギャラリーＧの床ｇ２を擦らないようになっている。なお、支柱５５ａ，５５ｂ，５６ａ，５６ｂは、階段５を支持部材２に連結するための構成でもあるが、作業者Ｈが階段５から落下することも防ぐので、これらを手摺５３，５４の一部として考えることもできる。なお、階段５の構成や配置は、適宜変更することが可能である。例えば、階段５を床板３の進行方向の両側に連結するとしてもよく、また、ギャラリーＧを通行する作業者Ｈの妨げにならなければ、ギャラリー側に連結するとしてもよい。
【００３４】
以下、本実施の形態に係る移動式渡り橋Ａの作動について説明する。
【００３５】
図１中、移動式渡り橋Ａと照明ブリッジＢの位置がずれているので、照明ブリッジＢでの作業が必要な場合、移動式渡り橋Ａを照明ブリッジＢに対応する位置まで移動させる必要がある。そこで、作業者Ｈが移動式渡り橋Ａを矢印方向に押すと、車輪１５，１９とサイド車輪１３が回転し、移動式渡り橋ＡがレールＲ１，Ｒ２に吊り下げられた状態で移動する。このとき、架設板４を閉じておけば、吊り材７を通過する場合でも、架設板４と吊り材７が干渉することを避けることができる。また、レール幅が均一でなくても、レーン幅が狭くなったり、広くなったりしている部分では、走行手段１ＣがレールＲ２に対して照明ブリッジ側やギャラリー側に動いたり、リンク機構２２が傾斜して走行手段１Ａ，１Ｂと走行手段１Ｃの間隔を変えたりして、移動式渡り橋Ａが走行不能になることを防ぐことができる。
【００３６】
また、移動式渡り橋Ａを照明ブリッジＢに対応する位置まで移動させたとき、例えば、架設板４の図７中左側部分と吊り材７が重なる場合、図７（ｂ）に示すように、図７中左側の両開閉板４４，４５を開いて、延設部４１と本体部４３との間の隙間に吊り材７を挿入する。つづいて、反基部側の開閉板４４を閉じると、両開閉板４４，４５を開いたままにする場合と比較して、架設板４における作業者Ｈが足を乗せるスペースを広くすることができる。これは、架設板４の図７中右側部分と吊り材７が重なった場合にも同様である。
【００３７】
また、作業者Ｈが移動式渡り橋Ａを通って、ギャラリーＧから照明ブリッジＢに移動する場合、本実施の形態においても、架設板４は、車輪１５，１９からオーバーハングした位置に設けられているものの、車輪１５，１９がレーンＲ１，Ｒ２から外れないようになっているので、従来のように移動式渡り橋Ａを固定しなくても、転倒の危険がない。
【００３８】
以下、本実施の形態に係る移動式渡り橋Ａの作用効果について説明する。
【００３９】
本実施の形態において、架設板４は、床板３に揺動可能に連結されて進行方向に延びる基部４０と、この基部４０の進行方向の両端から反基部側に延びる一対の延設部４１，４２と、これら延設部４１，４２の間に所定の隙間を開けて配置されるとともに上記基部４０から延設部４１，４２に沿って延びる本体部４３と、一方の延設部４１に揺動可能に連結されるとともに当該延設部４１と本体部４３との間にできる隙間を開閉可能で基部側と反基部側に配置される一対の開閉板４４，４５と、他方の延設部４２に揺動可能に連結されるとともに当該延設部４２と本体部４３との間にできる隙間を開閉可能で基部側と反基部側に配置される一対の開閉板４６，４７とを備えている。
【００４０】
上記構成によれば、照明ブリッジＢの位置により、架設板４と吊り材７が重なる場合でも、この重なる部分の開閉板（４４，４５または４６，４７）を開いて延設部４１と本体部４３との隙間、或いは、延設部４２と本体部４３との隙間に吊り材７を挿入できるので、移動式渡り橋Ａの設置許容範囲を広くすることができる。また、延設部４１と本体部４３との隙間、或いは、延設部４２と本体部４３との隙間に吊り材７を挿入した後、反基部側の開閉板４４，４６を閉じることができるので、作業者Ｈの足を置くスペースを広くすることができる。
【００４１】
さらに、本実施の形態において、ヒンジＴを利用して開閉板４４〜４７を揺動可能にしているが、架設板４の両端に位置する延設部４１，４２に開閉板４４〜４７を連結しているので、架設板４の中央部分にヒンジＴによる凹凸ができることを避け、作業者Ｈが架設板４を通る際に、ヒンジＴに引っかかることを抑制できる。なお、架設板４の構成は、上記の限りではなく、適宜変更することができる。例えば、架設板４を着脱式にして必要な時にだけ取り付けるとしてもよく、また、開閉板４４〜４７を閉じきりにするとしてもよい。
【００４２】
また、本実施の形態において、一方側支持体２０には、進行方向に並ぶ二つの走行手段１Ａ，１Ｂが連結されており、リンク機構２２には、一つの走行手段１Ｃが連結されている。
【００４３】
上記構成によれば、三つの走行手段１Ａ，１Ｂ，１Ｃで移動式渡り橋Ａを支えているので、全ての走行手段１Ａ，１Ｂ，１Ｃに荷重をかけることができ、車輪１５，１９の浮き上がりを抑制して、レールＲ１，Ｒ２に対する接地性を良好にできる。なお、走行手段１Ａ，１Ｂ，１Ｃの数や配置は、適宜変更することが可能であり、リンク機構２２にピン接合される走行手段を二つ以上にしたり、一方側支持体２０に剛接合される走行手段を一つや、三つ以上にしたりするとしてもよい。
【００４４】
また、本実施の形態において、レールＲ１，Ｒ２は、照明ブリッジ側とギャラリー側に二本並べて設けられており、支持部材２は、照明ブリッジ側のレールＲ１を走行する走行手段１Ａ，１Ｂに連結される一方側支持体２０と、ギャラリー側のレールＲ２を走行する走行手段１Ｃにリンク機構２２を介して連結される他方側支持体２１とを備えている。そして、上記リンク機構２２は、走行手段１Ｃと他方側支柱２１に対し進行方向に沿う軸回りに揺動可能とされている。
【００４５】
つまり、本実施の形態においては、照明ブリッジ側のレールＲ１を走行する走行手段１Ａ，１Ｂと一方側支持体２０を剛接合するとともに、ギャラリー側のレールＲ２を走行する走行手段１Ｃとリンク機構２２、及び、このリンク機構２２と他方側支持体２１とをピン接合しており、リンク機構２２は、その上端を照明ブリッジ側、或いは、ギャラリー側に向けて傾けることができる。このため、上記構成によれば、レール幅が均一でない場合であっても、リンク機構２２の傾きで、走行手段１Ａ，１Ｂと走行手段１Ｃが接近したり離間したりすることを許容でき、移動式渡り橋Ａの走行性を良好にできる。
【００４６】
さらに、上記構成によれば、他方側支持体２１と走行手段１Ｃが、揺動可能なリンク機構２２を介して連結されているので、走行手段１Ｃにも、走行手段１Ａ，１Ｂのように、サイド車輪１３を設けるとしてもよい。
【００４７】
また、本実施の形態において、走行手段１Ａ，１Ｂは、中央片ｒ１で車輪１５の脱輪を阻止されている。このため、走行手段１Ａ，１Ｂのサイド車輪１３を廃するとしてもよい。また、一方側支持体２０と他方側支持体２１の両方を、リンク機構を介して走行手段１Ａ，１Ｂ，１Ｃに取り付けてもよい。また、一方側支持体２０と走行手段１Ａ，１Ｂをギャラリー側に配置し、他方側支持体２１とリンク機構２２と走行手段１Ｃを照明ブリッジ側に配置するとしてもよい。また、レールＲ１，Ｒ２の本数や、走行手段１Ａ，１Ｂ，１Ｃの台数も任意に変更することが可能である。
【００４８】
また、本実施の形態において、移動式渡り橋Ａは、ギャラリーＧの上側にギャラリーＧに沿って配置され水平方向に延びる一以上のレールＲ１，Ｒ２を走行する一以上の走行手段１Ａ，１Ｂ，１Ｃと、これら走行手段１Ａ，１Ｂ，１Ｃに吊り下げられる支持部材２と、この支持部材２に支えられる床板３と、この床板３に連結されて照明ブリッジ側に延びる架設板４と、上記床板３に連結されてギャラリーＧから上記床板３に上がるための階段５とを備えている。
【００４９】
上記構成によれば、移動式渡り橋Ａは、レールＲ１，Ｒ２に吊り下げられているので、構造的に転倒の心配がなく、図８に示すように、ギャラリーＧの床ｇ２に金具８１を引っ掛けたり、挟持片２９ａ，２９ｂに手摺ｇ１を挟んだりするなどの、転倒防止のための固定作業をする必要が無い。このため、作業者Ｈの作業負荷を軽減することができる。また、作業者Ｈに頼らず、構造的に移動式渡り橋Ａの転倒を防止できるので、更に高い安全性を確保することができる。また、上記構成によれば、ギャラリーＧの床ｇ２に金具８１を引っ掛ける必要もないので、ギャラリーＧの床構造を限定することがない。
【００５０】
以上、本発明の好ましい実施の形態を詳細に説明したが、特許請求の範囲から逸脱することなく改造、変形及び変更を行うことができることは理解すべきである。
【符号の説明】
【００５１】
Ａ  移動式渡り橋
Ｂ  照明ブリッジ
Ｇ  ギャラリー
ｇ１  手摺
Ｓ  舞台
Ｒ１，Ｒ２  レール
１Ａ，１Ｂ，１Ｃ  走行手段
２  支持部材
３  床板
４  架設板
５  階段
２０  一方側支持体
２１  他方側支持体
２２  リンク機構
４０  基部
４１，４２  延設部
４３  本体部
４４，４５，４６，４７  開閉板
【図１】
2015073734.tif 000003
【図２】
2015073734.tif 000004
【図３】
2015073734.tif 000005
【図４】
2015073734.tif 000006
【図５】
2015073734.tif 000007
【図６】
2015073734.tif 000008
【図７】
2015073734.tif 000009
【図８】
2015073734.tif 000010